(57)【要約】【課題】キャップ付き化粧品容器においてキャップの不意な脱離を確実に防止でき、且つ容器本体へのキャップの着脱操作が容易に可能な化粧品容器、さらには、携帯電話器等にストラップを介して取付ける場合でも容器本体とキャップの脱離を確実に防止できる化粧品容器を提供する。【解決手段】上端が開口した円筒状嵌合部を有する容器本体と、下端が開口した円筒状嵌合部を有し容器本体の円筒状嵌合部に着脱自在に嵌合して該容器本体の開口端を閉塞するキャップからなる携帯用化粧品容器において、該容器本体の円筒状嵌合部にその開口端から湾入した略Ｌ字形掛止溝が存在し、該キャップの円筒状嵌合部に掛止片が突出しており、該掛止片を該略Ｌ字形掛止溝に挿嵌可能なことを特徴とし、更には該キャップが、携帯電話器等にストラップを介して取付けるためのストラップ用取付け部を有することを特徴とする化粧品容器。【選択図】図１
0003118830.tif 000002
【実用新案登録請求の範囲】
【請求項１】
上端が開口した円筒状嵌合部を有する容器本体と、下端が開口した円筒状嵌合部を有し容器本体の円筒状嵌合部に着脱自在に嵌合して該容器本体の開口端を閉塞するキャップからなる化粧品容器において、該容器本体の円筒状嵌合部にその開口端から湾入した略Ｌ字形無底掛止溝が存在し、該キャップの円筒状嵌合部に掛止片が突出しており、該掛止片を該Ｌ字形掛止溝に挿嵌可能なことを特徴とする化粧品容器。
【請求項２】
該キャップの掛止片が該キャップの円筒状嵌合部の内壁面から突出しており、該キャップの円筒状嵌合部が該容器本体の円筒状嵌合部に外嵌可能であることを特徴とする請求項１記載の化粧品容器。
【請求項３】
該キャップの掛止片が該キャップの円筒状嵌合部の外壁面から突出しており、該キャップの円筒状嵌合部が該容器本体の円筒状嵌合部に内嵌可能なことを特徴とする請求項１記載の化粧品容器。
【請求項４】
該容器本体の略Ｌ字形無底掛止溝の横溝の幅は該キャップの掛止片の外径と同じ、もしくはやや大きいが、その終端部手前で該キャップの掛止片の外径よりやや小さいことを特徴とする請求項１〜請求項３のいずれか１項記載の化粧品容器。
【請求項５】
該容器本体の略Ｌ字形無底掛止溝は、その開口端での幅が広く横溝への屈曲点にかけて幅が狭くなっていることを特徴とする請求項１〜請求項４のいずれか１項記載の化粧品容器。
【請求項６】
該容器本体の略Ｌ字形掛止溝と該キャップの掛止片は、同数であって、その数が１、２、３または４であることを特徴とする請求項１〜請求項５のいずれか１項記載の化粧品容器。
【請求項７】
該キャップにストラップ取付け部が存在することを特徴とする請求項１〜請求項６のいずれか１項記載の化粧品容器。
【請求項８】
化粧品容器の内容物が、口紅、リップクリーム、リップグロス、アイシャドウ、マスカラ、またはファンデーションであることを特徴とする請求項１〜請求項７のいずれか１項記載の化粧品容器。
【請求項９】
上端が開口した円筒状嵌合部を有する容器本体と、下端が開口した円筒状嵌合部を有し容器本体の円筒状嵌合部に着脱自在に嵌合して該容器本体の開口端を閉塞するキャップからなる化粧品容器において、該容器本体の円筒状嵌合部にその開口端から湾入した略Ｌ字形有底掛止溝が存在し、該キャップの円筒状嵌合部に掛止片が突出しており、該掛止片を該Ｌ字形有底掛止溝に挿嵌可能なことを特徴とする化粧品容器。
【請求項１０】
該キャップの掛止片が該キャップの円筒状嵌合部の内壁面から突出しており、該キャップの円筒状嵌合部が該容器本体の円筒状嵌合部に外嵌可能であることを特徴とする請求項９記載の化粧品容器。
【請求項１１】
該キャップの掛止片が該キャップの円筒状嵌合部の外壁面から突出しており、該キャップの円筒状嵌合部が該容器本体の円筒状嵌合部に内嵌可能なことを特徴とする請求項１０記載の化粧品容器。
【請求項１２】
該容器本体の略Ｌ字形有底掛止溝の終端部が該溝の他の部分より凹状に窪んでおり、該キャップの掛止片の最頂部を通るキャップ内径が、容器本体の略Ｌ字形有底掛止溝を通る容器本体の外径より小さく、該キャップの掛止片が容器本体の略Ｌ字形有底掛止溝の終端部に掛止可能であることを特徴とする請求項１０記載の化粧品容器。
【請求項１３】
該容器本体の略Ｌ字形有底掛止溝の横溝の幅は該キャップの掛止片の外径と同じ、もしくはやや大きいが、その終端部手前で該キャップの掛止片の外径よりやや小さいことを特徴とする請求項９〜請求項１２のいずれか１項記載の化粧品容器。
【請求項１４】
該容器本体の略Ｌ字形掛止溝は、その開口端での幅が広く横溝への屈曲点にかけて幅が狭くなっていることを特徴とする請求項９〜請求項１３のいずれか１項記載の化粧品容器。
【請求項１５】
該容器本体の略Ｌ字形掛止溝と該キャップの掛止片は、同数であって、その数が１、２、３または４であることを特徴とする請求項９〜請求項１４のいずれか１項記載の化粧品容器。
【請求項１６】
該キャップ外面にストラップ取付け部が存在することを特徴とする請求項９〜請求項１５のいずれか１項に記載の化粧品容器。
【請求項１７】
上端が開口した円筒状嵌合部を有する容器本体と、下端が開口した円筒状嵌合部を有し容器本体の円筒状嵌合部に着脱自在に嵌合して該容器本体の開口端を閉塞するキャップからなる化粧品容器において、該容器本体の円筒状嵌合部と該キャップの円筒状嵌合部に互いに螺合する螺合部が存在し、該キャップ外面にストラップ取付け部が存在することを特徴とする化粧品容器。
【請求項１８】
化粧品容器の内容物が、口紅、リップクリーム、リップグロス、アイシャドウ、マスカラ、またはファンデーションであることを特徴とする請求項９〜請求項１７のいずれか１項記載の化粧品容器。
【考案の詳細な説明】
【技術分野】
【０００１】
本考案は口紅、リップクリーム、リップグロス、アイシャドウ、マスカラ、またはファンデーション等の化粧品を収納するための容器に関する。
【背景技術】
【０００２】
一般に女性は、口紅、リップクリーム、リップグロス、アイシャドウ、マスカラ、またはファンデーション等を収納した小型化粧品容器を、ハンドバッグやポシェットに入れて持ち歩くことが多い。しかしながら、ちょっとした化粧直しのためにハンドバッグやポシェットの中を探すのは、手間取り、わずらわしい。さらに、近年、携帯電話機を手放すことなく持ち歩く女性が増えているが、ハンドバッグやポシェットと携帯電話機の両方を持とうとすると両手がふさがり不便である。
【０００３】
そこで、携帯電話器に口紅、リップクリーム、リップグロス、アイシャドウ、マスカラ、またはファンデーション等の化粧品容器を付属させて前記問題を解決することが考えられる。目的が異なるが、携帯電話器用ストラップの取付部を有し、携帯電話器に取付が可能である口紅容器が提案されている（特許文献１）。
【０００４】
ところで、スティック状口紅、スティック状リップクリーム、スティック状アイシャドウ、スティック状ファンデーション等のスティック状化粧品は、内容物である口紅、リップクリーム、アイシャドウ、ファンデーション等が棒状に成型され、繰出容器に収容されている。繰出容器は、一般に、容器本体の底部をなす袴部材、容器本体の外周部をなす円筒状の外筒体、棒状に成型された内容物を載せる中皿、外筒体の上方から被さるキャップからなり、外筒体に対して袴部材が回転し、その回転に伴って容器本体の内部で中皿が昇降し、棒状に成型された内容物が繰り出されたり、あるいは収容されたりする。
【０００５】
繰出容器の非使用時には、キャップを外筒体の上方から被せ、容器本体に収容された内容物を覆うが、繰出容器の使用時には、キャップを外筒体から取り外すことが必要とされる。
【０００６】
繰出容器のキャップは外筒体の外周部を覆う形で繰出容器の外筒体中心軸方向に脱着可能とされるものが一般的であり、キャップと袴部材との嵌合方法については、キャップが外筒体の外周部を覆う状態で嵌め込まれキャップ下端部が袴部材上端部で接触している方式（特許文献１、特許文献２）やキャップが外筒体の外周部を覆う状態で嵌め込まれ袴部材から袴部材内周に沿って上側に突出しているキャップ嵌合部とそのキャップ嵌合部に設けられた凸部によって、キャップが掛止される方式等がある（特許文献３）。
【０００７】
ところで、特許文献１、特許文献２、特許文献３に記載されているような口紅容器のキャップ部分がストラップにより携帯電話器に取り付けられている場合、うっかりと口紅容器の容器本体を手にして化粧をしようとすると、携帯電話器の重みでキャップがすっぽ抜けて携帯電話器が脱落してしまう。また、携帯電話器本体に口紅容器取付け部を設けた携帯電話器の場合は、口紅を唇に塗布しようとすると携帯電話器ごと口元に持ってこなければならなく、不便である。
【０００８】
また、市販のスティック状化粧品容器は、容器本体とキャップが一般に特許文献３に記載されているような嵌合方式であるため、ハンドバッグやポシェット中で不意にキャップが外れ、スティック状化粧品が露出し、ハンドバッグやポシェット等を汚す危険性もある。また、幼児が弄んでいる間にキャップが外れ、スティック状化粧品が露出して幼児の衣服、身体、周辺を汚す恐れがある。
【０００９】
【特許文献１】実用新案登録第３１１３０４７号公報
【特許文献２】特開２００５−１８６９９２号公報
【特許文献３】特開平９−１９１９３１号公報
【考案の開示】
【考案が解決しようとする課題】
【００１０】
そこで、本考案は、キャップ付き化粧品容器においてキャップの不意な脱離を確実に防止でき、且つ容器本体へのキャップの着脱操作が容易な化粧品容器、さらには、携帯電話器等の携帯用品にストラップを介して取付ける場合でも容器本体とキャップの脱離を確実に防止できる化粧品容器を提供することを目的とする。
【課題を解決するための手段】
【００１１】
本考案者は、以下の手段によって、キャップの不意な脱離を確実に防止でき、且つ容器本体へのキャップ着脱操作が容易になることを見出し、さらにはストラップを介して携帯用品に取付けた場合でも容器本体とキャップの脱離を確実に防止できることを見出した。
【００１２】
［１］
上端が開口した円筒状嵌合部を有する容器本体と、下端が開口した円筒状嵌合部を有し容器本体の円筒状嵌合部に着脱自在に嵌合して該容器本体の開口端を閉塞するキャップからなる化粧品容器において、該容器本体の円筒状嵌合部にその開口端から湾入した略Ｌ字形無底掛止溝が存在し、該キャップの円筒状嵌合部に掛止片が突出しており、該掛止片を該Ｌ字形掛止溝に挿嵌可能なことを特徴とする化粧品容器。
［２］
該キャップの掛止片が該キャップの円筒状嵌合部の内壁面から突出しており、該キャップの円筒状嵌合部が該容器本体の円筒状嵌合部に外嵌可能であることを特徴とする［１］記載の化粧品容器。
［３］
該キャップの掛止片が該キャップの円筒状嵌合部の外壁面から突出しており、該キャップの円筒状嵌合部が該容器本体の円筒状嵌合部に内嵌可能なことを特徴とする［１］記載の化粧品容器。
［４］
該容器本体の略Ｌ字形無底掛止溝の横溝の幅は該キャップの掛止片の外径と同じ、もしくはやや大きいが、その終端部手前で該キャップの掛止片の外径よりやや小さいことを特徴とする［１］〜［３］のいずれかに記載の化粧品容器。
［５］
該容器本体の略Ｌ字形無底掛止溝は、その開口端での幅が広く横溝への屈曲点にかけて幅が狭くなっていることを特徴とする［１］〜［４］のいずれかに記載の化粧品容器。
［６］
該容器本体の略Ｌ字形掛止溝と該キャップの掛止片は、同数であって、その数が１、２、３または４であることを特徴とする［１］〜［５］のいずれかに記載の化粧品容器。
［７］
該キャップにストラップ取付け部が存在することを特徴とする［１］〜［６］のいずれかに記載の化粧品容器。
［８］
化粧品容器の内容物が、口紅、リップクリーム、リップグロス、アイシャドウ、マスカラ、またはファンデーションであることを特徴とする［１］〜［７］のいずれかに記載の化粧品容器。
［９］
上端が開口した円筒状嵌合部を有する容器本体と、下端が開口した円筒状嵌合部を有し容器本体の円筒状嵌合部に着脱自在に嵌合して該容器本体の開口端を閉塞するキャップからなる化粧品容器において、該容器本体の円筒状嵌合部にその開口端から湾入した略Ｌ字形有底掛止溝が存在し、該キャップの円筒状嵌合部に掛止片が突出しており、該掛止片を該Ｌ字形有底掛止溝に挿嵌可能なことを特徴とする化粧品容器。
［１０］
該キャップの掛止片が該キャップの円筒状嵌合部の内壁面から突出しており、該キャップの円筒状嵌合部が該容器本体の円筒状嵌合部に外嵌可能であることを特徴とする［９］記載の化粧品容器。
［１１］
該キャップの掛止片が該キャップの円筒状嵌合部の外壁面から突出しており、該キャップの円筒状嵌合部が該容器本体の円筒状嵌合部に内嵌可能なことを特徴とする［１０］記載の化粧品容器。
［１２］
該容器本体の略Ｌ字形有底掛止溝の終端部が該溝の他の部分より凹状に窪んでおり、該キャップの掛止片の最頂部を通るキャップ内径が、容器本体の略Ｌ字形有底掛止溝を通る容器本体の外径より小さく、該キャップの掛止片が容器本体の略Ｌ字形有底掛止溝の終端部に掛止可能であることを特徴とする［１０］記載の化粧品容器。
［１３］
該容器本体の略Ｌ字形有底掛止溝の横溝の幅は該キャップの掛止片の外径と同じ、もしくはやや大きいが、その終端部手前で該キャップの掛止片の外径よりやや小さいことを特徴とする［９］〜［１２］のいずれかに記載の化粧品容器。
［１４］
該容器本体の略Ｌ字形掛止溝は、その開口端での幅が広く横溝への屈曲点にかけて幅が狭くなっていることを特徴とする［９］〜［１３］のいずれかに記載の化粧品容器。
［１５］
該容器本体の略Ｌ字形掛止溝と該キャップの掛止片は、同数であって、その数が１、２、３または４であることを特徴とする［９］〜［１４］のいずれかに記載の化粧品容器。
［１６］
該キャップ外面にストラップ取付け部が存在することを特徴とする［９］〜［１５］のいずれかにに記載の化粧品容器。
［１７］
上端が開口した円筒状嵌合部を有する容器本体と、下端が開口した円筒状嵌合部を有し容器本体の円筒状嵌合部に着脱自在に嵌合して該容器本体の開口端を閉塞するキャップからなる化粧品容器において、該容器本体の円筒状嵌合部と該キャップの円筒状嵌合部に互いに螺合する螺合部が存在し、該キャップ外面にストラップ取付け部が存在することを特徴とする化粧品容器。
［１８］
化粧品容器の内容物が、口紅、リップクリーム、リップグロス、アイシャドウ、マスカラ、またはファンデーションであることを特徴とする［９］〜［１７］のいずれかに記載の化粧品容器。
【考案の効果】
【００１３】
請求項１〜請求項８記載の化粧品容器では、キャップの円筒状嵌合部表面の掛止片を容器本体の円筒状嵌合部にある略Ｌ字形無底掛止溝の縦溝に沿って挿嵌し、ついでキャップを円筒円周方向に回転させることによってキャップが容器本体に掛止されるので、キャップの不意な脱離を確実に防止でき、且つ容器本体へのキャップ着脱操作も容易である。
【００１４】
請求項９〜請求項１６記載の化粧品容器では、キャップの円筒状嵌合部表面の掛止片を容器本体の円筒状嵌合部にある略Ｌ字形有底掛止溝の縦溝に沿って挿嵌し、ついでキャップを容器本体の円筒円周方向に回転させることによってキャップが容器本体に掛止される。したがって、キャップの不意な脱離を確実に防止でき、且つ容器本体へのキャップ着脱操作も容易である。略Ｌ字形掛止溝が有底であり容器本体の円筒状嵌合部の強度があるため、円筒状嵌合部の不意な変形を確実に防止することができる。
【００１５】
請求項２、請求項１０記載の化粧品容器では、容器本体へのキャップ装着時に容器本体の略Ｌ字形掛止溝が隠れるので、意匠性に優れている。
【００１６】
請求項４、請求項１２、請求項１３記載の化粧品容器では、請求項１、請求項９の化粧品容器に比べ、キャップの掛止片が容器本体の略Ｌ字形掛止溝に強固にロックされるので、キャップが容器本体に強固に掛止される。
【００１７】
請求項５、請求項１４記載の化粧品容器では、キャップの円筒状嵌合部表面の掛止片を略Ｌ字形掛止溝に嵌め込む際、掛止片が容器本体の開口部に引っかからず、適当な位置で嵌め込みを容易に開始することができる。
【００１８】
請求項６、請求項１５記載の化粧品容器では、容器本体の略Ｌ字形掛止溝とキャップの掛止片の数が等しく、その数は１、２、３または４である。数が２、３または４の場合は、キャップをより確実に容器本体に掛止することができる。
【００１９】
請求項７、請求項１６、請求項１７記載の化粧品容器では、携帯電話器等への取付けを可能とするストラップをキャップに装着することができる。
【００２０】
請求項８、請求項１８記載の化粧品容器では、携帯電話器等に口紅、リップクリーム、アイシャドウ、マスカラ、ファンデーション等の化粧品の容器を付属させることができ、ちょっとした化粧直しの際に便利である。
【００２１】
請求項１〜請求項１８記載の化粧品容器では、液状口紅、マスカラ等のクリーム状または液状の化粧品を内容物とすることができるが、特に請求項１７記載の化粧品容器であると、クリーム状または液状の化粧品を確実に密閉することができる。
【考案を実施するための最良の形態】
【００２２】
以下、図面を参照しつつ本考案を実施するための最良の形態を詳細に説明する。
【００２３】
［実施例１］
図１は、本考案の一実施例の化粧品容器Ａであって、キャップＡ１と容器本体Ａ２を分離した状態の斜視図である。図２は、容器本体Ａ２の円筒状嵌合部１ａと外筒体１の上端部の拡大図である。図３は、キャップＡ１を容器本体Ａ２に取付けた状態の斜視図である。図４は、キャップＡ１を容器本体Ａ２に取付ける際の動作を示した動作図である。図５は、化粧品容器ＡのキャップＡ１のＭ−Ｍ′線断面図である。図６は、化粧品容器Ａの容器本体Ａ２のＮ−Ｎ′線断面図である。
【００２４】
この化粧品容器Ａは、スティック状化粧品の繰出容器であり特許文献３と同様の繰出機構を有する。外筒体１、外筒体の底部に回転可能に設けられた袴部材２、棒状に成型された口紅やリップクリーム等の内容物３が収納され外筒体内に収容された内筒体４、口紅やリップクリーム等の内容物が載る中皿５からなる容器本体Ａ２と、キャップＡ１とからなっている。
【００２５】
外筒体１は一端に開口端７を有し、該開口端７から棒状に成型された口紅やリップクリーム等の内容物３が繰り出される。該外筒体１の円筒状嵌合部1ａには、その開口端７から２つの略Ｌ字形有底掛止溝６が湾入している。キャップＡ１は一端に開口端８を有し、円筒状嵌合部９の内壁から、２つの掛止片１０が突出している。該掛止片１０を略Ｌ字形有底掛止溝６に挿嵌することによって、該キャップＡ１を該容器本体Ａ２に掛止可能としている。これによって、キャップＡ１は、外筒体１の開口端７を閉鎖し、外筒体１内の内容物３を覆うことができる。なお、このような該キャップＡ１と該容器本体Ａ２との掛止機構は一般的にはバイオネットロック機構と言われている。
【００２６】
容器本体Ａ２の円筒状嵌合部１ａの略Ｌ字形有底掛止溝が有底であるため、円筒状嵌合部１ａは強度が高まり、変形しにくい。円筒状嵌合部１ａの材料がプラスチックである場合は特に効果的である。
【００２７】
キャップＡ１の円筒状嵌合部９の内径は容器本体Ａ２の外筒体１の円筒状嵌合部１ａに面一に外嵌可能な大きさである。本実施例ではキャップＡ１と外筒体１と袴部材２とが一体感のあるデザインを呈するように、キャップＡ１の外径は外筒体１の外径と同一であるが、外嵌可能であれば、キャップＡ１の外径、外筒体１の外径は特に限定されない。
【００２８】
キャップＡ１の円筒状嵌合部９の内径が容器本体Ａ２の外筒体１の円筒状嵌合部１ａに外嵌可能な大きさである場合は、キャップＡ１の掛止片１０は、キャップＡ１の円筒状嵌合部９の内壁から突出しているが、逆にキャップＡ１の円筒状嵌合部９の内径が容器本体Ａ２の外筒体１の円筒状嵌合部１ａに内嵌可能な大きさである場合は、キャップＡ１の掛止片１０は、該キャップＡ１の円筒状嵌合部９の外壁から突出している。
【００２９】
図２は、容器本体Ａ２の円筒状嵌合部１ａと外筒体１の上端部の拡大図である。略Ｌ字形有底掛止溝６の縦溝の最深部の幅および横溝６ｂの幅は掛止片１０の外径よりやや大きいが、  横溝６ｂの終端部手前で溝幅が掛止片１０の外径よりやや小さく形成されている。また、略Ｌ字形有底掛止溝６の横溝６ｂの終端部６ｃが他の部分より凹状に窪んでおり、かつ掛止片１０と対向する掛止片１０との間の距離が容器本体Ａ２の略Ｌ字形有底掛止溝６の底と対向する略Ｌ字形有底掛止溝６の底との間の距離よりやや小さいので、略Ｌ字形有底掛止溝６の終端部６ｃに掛止片１０が嵌まり確実に掛止される。これら２つの掛止機構は、どちらか一方があっても良い。なお、キャップＡ１の掛止片１０は円柱状であるが、角柱状、板状等であっても良く、突出していて掛止容易であれば形状は特に限定されない。
【００３０】
キャップＡ１およびその掛止片１０、容器本体Ａ２の外筒体１とその円筒状嵌合部１ａの材料は、特に限定されないが、強度が大きく、力を入れると歪む素材である点でポリプロピレン樹脂、ポリエステル樹脂、ナイロン樹脂、ポリカーボネート樹脂、メタクリル樹脂等の熱可塑性樹脂が好ましく、より好ましくはポリプロピレン樹脂である。また、キャップＡ１、容器本体Ａ２のどちらか一方、または両方がステンレススチール、アルミニウム、ジュラルミン等の金属であっても良い。
【００３１】
容器本体Ａ２の略Ｌ字形有底掛止溝６とキャップＡ１の掛止片１０の数は２であるが、１、３または４などであっても良い。ただし、２以上のときは、外筒体１の開口端７やキャップＡ１の開口端８の中心点から各略Ｌ字形有底掛止溝６や各掛止片１０が等角に配されていると、安定してキャップＡ１を容器本体Ａ２に掛止できる。
【００３２】
容器本体Ａ２の略Ｌ字形有底掛止溝６の縦溝６ａは扇状であり、外筒体１の筒状嵌合部１ａの開口端７で最も幅が広く、横溝への屈曲点に向けて狭くなっているので、キャップＡ１を外筒体１の円筒状嵌合部１ａに嵌め込む際に、キャップＡ１の各掛止片１０を各略Ｌ字形有底掛止溝６に容易に嵌入できる。なお、縦溝６ａと横溝６ｂとの間の角度は９０°であるが、９０°より多少大きくても小さくても良い。しかし、９０°より多少小さい方が、掛止性、係合性が向上する。
【００３３】
この化粧品容器のキャップＡ１を容器本体Ａ２に取付けるには、まず、キャップＡ１の各掛止片１０を容器本体Ａ２の各略Ｌ字形有底掛止溝６に嵌入し、図３の矢印Ｙの方向にキャップＡ１を容器本体Ａ２の外筒体１に押し込む。各掛止片１０が各略Ｌ字形有底掛止溝６の屈曲点に至ったら、キャップＡ１を外筒体１に対して矢印Ｘの方向に回転させる。これにより略Ｌ字形有底掛止溝６の終端部６ｃに各掛止片１０が嵌まりロックされる。化粧品容器のキャップＡ１を容器本体Ａ２から取外すには、まず、キャップＡ１を外筒体１に対して矢印Ｘの逆方向に回転させ、各掛止片１０が各略Ｌ字形有底掛止溝６の屈曲点に至ったら、容器本体Ａ２の外筒体１から矢印Ｙの逆方向に抜く。
【００３４】
キャップＡ１の上端部には取手１１が存在し、該取手１１にストラップ紐１２が結ばれている。化粧時に携帯電話器等から化粧品内容物を有する容器本体を外せるように、取手はキャップ外側にある必要があり、キャップの外側面にあっても良い。取手の形状はストラップ紐が接続可能なものであればよく、特に限定されない。また、キャップとストラップ紐が一体成形されていても良い。
【００３５】
この化粧品容器Ａは掛止溝が有底なので、化粧品が液状であっても密封が容易である。
【００３６】
化粧品容器Ａを取り付ける対象物の代表例は携帯電話器であるが、ポータブルオーディオ、電子手帳等の携帯電子機器でもよく、さらにはハンドバック、ポシェット等の携帯用品、ベルト、ベルト留め等の服飾用品でもよい。また、幼児のいる家庭で使用する化粧品容器として適している。
【００３７】
［実施例２］
図７は、本考案の一実施例の化粧品容器Ｂであって、キャップＢ１と容器本体Ｂ２を分離した状態の斜視図である。
【００３８】
この化粧品容器Ｂは、スティック状化粧品の繰出容器であり特許文献３と同様の繰出機構を有する。外筒体１、外筒体の底部に回転可能に設けられた袴部材２、棒状に成型された口紅やリップクリーム等の内容物３が収納され外筒体内に収容された内筒体４、口紅やリップクリーム等の内容物が載る中皿５からなる容器本体Ｂ２と、キャップＢ１とからなっている。
【００３９】
外筒体１は一端に開口端７を有し、該開口端７から棒状に成型された口紅やリップクリーム等の内容物３が繰り出される。該外筒体１の円筒状嵌合部1ａには、その開口端７から２つの略Ｌ字形無底掛止溝６が湾入している。キャップＡ１は一端に開口端８を有し、円筒状嵌合部９の内壁から、２つの掛止片１０が突出している。各該掛止片１０を各略Ｌ字形無底掛止溝６に挿嵌することによって、該キャップＢ１を該容器本体Ｂ２に掛止可能としている。これによって、キャップＢ１は、外筒体１の開口端７を閉鎖し、外筒体１内の内容物３を覆うことができる。この化粧品容器Ｂはスティック状の口紅等の化粧品を収納するのに有用であり、取付ける対象物および幼児のいる家庭で使用する適性は実施例１と同じである。
【００４０】
［実施例３］
図８は、本考案の一実施例の化粧品容器Ｃであって、キャップＣ１と容器本体Ｃ２を分離した状態の斜視図である。
【００４１】
この化粧品容器Ｃは、実施例２の化粧品容器ＢにおけるＬ字形無底掛止溝をＬ字形有底掛止溝としたものである。掛止溝が有底なので、化粧品が液状であっても密封が容易であり、取付ける対象物および幼児のいる家庭で使用する適性は実施例１と同じである。
【産業上の利用可能性】
【００４２】
本発明の化粧品容器は、口紅、リップクリーム、リップグロス、アイシャドウ、マスカラ、ファンデーション等の化粧品容器として有用であり、特に携帯用化粧品容器として有用である。また幼児のいる家庭で使用する化粧品の容器として有用である。
【図面の簡単な説明】
【００４３】
【図１】キャップＡ１と容器本体Ａ２を分離した状態の斜視図である。
【図２】容器本体Ａ２の円筒状嵌合部１ａと外筒体１の上端部の拡大図である。
【図３】キャップＡ１を容器本体Ａ２に取付けた状態の斜視図である。
【図４】キャップＡ１を容器本体Ａ２に取付ける際の動作を示した図である。
【図５】キャップＡ１のＭ−Ｍ′線断面図である。
【図６】化粧品容器Ａの容器本体Ａ２のＮ−Ｎ′線断面図である。
【図７】キャップＢ１と容器本体Ｂ２を分離した状態の化粧品容器Ｂの斜視図である。
【図８】キャップＣ１と容器本体Ｃ２を分離した状態の化粧品容器Ｃの斜視図である。
【符号の説明】
【００４４】
Ａ          化粧品容器
Ａ１        キャップ
Ａ２        容器本体
Ｂ          化粧品容器
Ｂ１        キャップ
Ｂ２        容器本体
Ｃ          化粧品容器
Ｃ１        キャップ
Ｃ２        容器本体
１          外筒体
１ａ        外筒体の円筒状嵌合部
２          袴部材
３          内容物
４          中皿
５          内筒体
６          略Ｌ字形有底掛止溝
６ａ        略Ｌ字形有底掛止溝の縦溝
６ｂ        略Ｌ字形有底掛止溝の横溝
６ｃ        略Ｌ字形有底掛止溝の終端部
６ｄ        略Ｌ字形有底掛止溝の横溝とＬ字形有底掛止溝の終端部手前の狭部
６０        略Ｌ字形無底掛止溝
６０ａ      略Ｌ字形無底掛止縦溝
６０ｂ      略Ｌ字形無底掛止横溝
６０ｃ      略Ｌ字形無底掛止溝終端部
６０ｄ      略Ｌ字形無底掛止横溝とＬ字形有底掛止溝終端部の間
７          外筒体の開口端
８          キャップの開口端
９          キャップの円筒状嵌合部
１０        掛止片
１１        取手
１２        ストラップ
【図１】
0003118830.tif 000003
【図２】
0003118830.tif 000004
【図３】
0003118830.tif 000005
【図４】
0003118830.tif 000006
【図５】
0003118830.tif 000007
【図６】
0003118830.tif 000008
【図７】
0003118830.tif 000009
【図８】
0003118830.tif 000010